(57)【特許請求の範囲】
【請求項１】
電動式パーソナル器具とともに使用されるスキンブラシヘッドであって、
外面を有する本体と、治療アプリケータと、交換インジケータとを備え、
前記治療アプリケータは、前記本体の外面に接続され、被験者の皮膚に治療を適用するように構成され、
前記交換インジケータは、ピストン状インジケータを備え、当該ピストン状インジケータは、スキンブラシヘッドの使用の後に前記治療アプリケータに対して交換位置へ移動するように構成され、前記交換位置は、ユーザーにスキンブラシヘッドの交換のための推奨を示し、
前記交換インジケータは、付勢部材と、保持器とをさらに備え、
前記ピストン状インジケータは、前記付勢部材の付勢力に抗して装填位置に移動するように構成され、当該ピストン状インジケータは、前記保持器を介して前記装填位置に拘束される、
スキンブラシヘッド。
【請求項２】
前記交換インジケータは、トリガー機構をさらに備え、
前記トリガー機構は、前記ピストン状インジケータを開放し、当該ピストン状インジケータを前記付勢部材の付勢力下で装填位置から交換位置まで移行させるように構成される、請求項１に記載のスキンブラシヘッド。
【請求項３】
前記トリガー機構は、時間条件又は環境条件に基いて前記ピストン状インジケータの開放をトリガーするように構成される、請求項２に記載のスキンブラシヘッド。
【請求項４】
前記トリガー機構は、摩耗、接着、溶解性、時間、熱、及び光の内の１つ以上に基いて前記ピストン状インジケータの開放をトリガーするように構成される、請求項２に記載のスキンブラシヘッド。
【請求項５】
前記保持器は、前記ピストン状インジケータの開放をトリガーするように構成され、前記ピストン状インジケータを、前記付勢部材の付勢力下で装填位置から交換位置まで移行させるように構成される、請求項１に記載のスキンブラシヘッド。
【請求項６】
前記保持器は、オキソ分解性プラスチック、オキソ生分解性プラスチック、バイオベースポリマーの内の少なくとも１つを含む、請求項５に記載のスキンブラシヘッド。
【請求項７】
前記ピストン状インジケータは、当該ピストン状インジケータの開放をトリガーするように構成され、当該ピストン状インジケータを前記付勢部材の付勢力下で装填位置から交換位置まで移行させるように構成される、請求項１に記載のスキンブラシヘッド。
【請求項８】
前記ピストン状インジケータは、オキソ分解性プラスチック、オキソ生分解性プラスチック、バイオベースポリマーの内の少なくとも１つを含む、請求項７に記載のスキンブラシヘッド。
【請求項９】
前記保持器は、摩耗層を備え、
前記摩耗層は、前記ピストン状インジケータの開放をトリガーするように構成され、前記ピストン状インジケータを前記付勢部材の付勢力下で装填位置から交換位置まで移行させるように構成される、請求項１に記載のスキンブラシヘッド。
【請求項１０】
前記摩耗層は、摩耗、接着、及び溶解性の内の１つ以上に基いて摩耗するように構成される、請求項９に記載のスキンブラシヘッド。
【請求項１１】
前記摩耗層は、微生物、熱、光、及び酸素の内の１つ以上に曝される一定以上の時間に基いて摩耗するように構成される、請求項９に記載のスキンブラシヘッド。
【請求項１２】
前記摩耗層は、バイオベースポリマー又はオキソ生分解性プラスチックから構成される、請求項９に記載のスキンブラシヘッド。
【請求項１３】
前記治療アプリケータは、複数の剛毛を備える、請求項１〜請求項１２の何れか１つに記載のスキンブラシヘッド。
【請求項１４】
前記ピストン状インジケータは、交換位置において前記複数の剛毛を越えて延びる、請求項１３に記載のスキンブラシヘッド。
【請求項１５】
前記ピストン状インジケータは、前記本体の外面に配置される、請求項１〜請求項１２の何れか１つに記載のスキンブラシヘッド。
【請求項１６】
前記ピストン状インジケータは、横方向へ延びる突起を備え、前記横方向へ延びる突起は、前記交換インジケータの慣性を変更するように構成される、請求項１〜請求項１２の何れか１つに記載のスキンブラシヘッド。
【請求項１７】
電動式パーソナル器具とともに使用するための取り外し可能なワークピースであって、
外面を有する本体と、治療アプリケータと、交換インジケータと、生分解性保持器とを備え、
前記治療アプリケータは、前記本体の外面に接続され、被験者の皮膚に治療を適用するように構成され、
前記交換インジケータは、前記本体によって支持され、バネ付勢位置とバネ付勢されていない位置の間を移動するように構成され、
前記生分解性保持器は、前記バネ付勢位置で前記交換インジケータを保持するように構成され、当該生分解性保持器は、時間条件及び環境条件に基いて前記バネ付勢位置から前記バネ付勢されていない位置への前記交換インジケータの移動をトリガーするように構成される、取り外し可能なワークピース。
【請求項１８】
前記環境条件は、熱、光、及び／又は水分の内の１つ以上に曝されることを含む、請求項１７に記載の取り外し可能なワークピース。
【請求項１９】
電動式治療器具であって、
モータを有する電動ハンドルと、スキンブラシヘッドとを備え、
前記スキンブラシヘッドは、前記電動ハンドルに取り外し可能に取り付けられ、前記モータによって動作するように構成され、請求項１〜請求項１６の何れか１つにより構成される、電動式治療装置。
【請求項２０】
電動式治療器具であって、
モータを有する電動ハンドルと、スキンブラシヘッドとを備え、
前記スキンブラシヘッドは、前記電動ハンドルに取り外し可能に取り付けられ、前記モータによって動作するように構成され、
前記スキンブラシヘッドは、外面を備える本体と、複数の剛毛と、交換インジケータとを備え、
前記複数の剛毛は、前記本体の外面から外向きに延び、
前記交換インジケータは、前記スキンブラシヘッドに関連する交換インジケータであって、当該交換インジケータは、スキンブラシヘッドの使用の後にスキンブラシヘッドの交換推奨をユーザーへ示すために、前記複数の剛毛に関して交換信号位置に移動するように構成されるピストン状インジケータを備え、
前記交換インジケータは、付勢部材及び摩耗層をさらに備え、
前記ピストン状インジケータは、前記摩耗層を介して前記付勢部材に対して付勢された位置に拘束される、電動式治療器具。
【請求項２１】
前記摩耗層は、繰り返しの使用に基いて弱くなるように構成され、前記付勢部材の付勢力が前記摩耗層の拘束力を超えると、前記ピストン状インジケータは、前記付勢力を介して、付勢位置から、ピストン状インジケータが本体の外側に突出し、複数の剛毛に隣接する交換信号位置に移動する、請求項２０に記載の電動式治療器具。
【請求項２２】
前記複数の剛毛は、前記ピストン状インジケータに対して周囲に配置される、請求項２１に記載の電動式治療器具。
【請求項２３】
電動式パーソナル器具とともに使用するためのスキンブラシヘッドであって、
外面を備える本体と、治療アプリケータと、摩耗インジケータとを備え、
前記治療アプリケータは、前記本体の外面に接続され、被験者の皮膚に治療を適用するように構成され、
前記摩耗インジケータは、前記スキンブラシヘッドに関連する摩耗インジケータであって、当該摩耗インジケータは、前記スキンブラシヘッドの使用の後にスキンブラシヘッドの交換推奨指示をユーザーへ提供するように構成され、
前記摩耗インジケータは、ピストン状インジケータと、付勢部材と、摩耗層とを備え、
前記ピストン状インジケータは、前記摩耗層を介して付勢された位置で前記本体に関連付けられたチャンバ内に拘束される、スキンブラシヘッド。
【請求項２４】
前記摩耗層は、使用中に弱くなるように構成され、前記付勢部材の付勢力が前記摩耗層の拘束力を超えると、前記ピストン状インジケータは、前記付勢力を介して、摩耗層によって拘束されたときの装填位置から前記ピストン状インジケータが前記チャンバの外に突出し１つ以上の房に隣接して配置された交換位置へ移動する、請求項２３に記載の電動式治療器具。
【請求項２５】
電動式パーソナル器具とともに使用するための取り外し可能なワークピースであって、
外面を有する本体と、治療アプリケータと、生分解性交換インジケータと、保持器とを備え、
前記治療アプリケータは、前記本体の外面に接続され、被験者の皮膚に治療を適用するように構成され、
前記生分解性交換インジケータは、前記本体によって支持され、バネ付勢位置とバネ付勢されていない位置との間を移動するように構成され、
前記保持器は、前記バネ付勢位置で前記交換インジケータを保持するように構成され、
前記生分解性交換インジケータは、時間条件及び環境条件に基いて前記バネ付勢位置から前記バネ付勢されていない位置への前記交換インジケータの移動をトリガーするように構成される、取り外し可能なワークピース。
【請求項２６】
電動式パーソナル器具とともに使用するための取り外し可能ワークピースであって、外面を有する本体と、治療アプリケータと、生分解性交換インジケータと、生分解性保持器とを備え、
前記治療アプリケータは、前記本体の外面に接続され、被験者の皮膚に治療を適用するように構成され、
前記生分解性交換インジケータは、前記本体によって支持され、バネ付勢位置とバネ付勢されていない位置との間を移動するように構成され、
前記生分解性保持器は、前記バネ付勢位置で前記生分解性交換インジケータを保持するように構成され、
前記生分解性交換インジケータ及び／又は前記生分解性保持器は、時間条件及び環境条件に基いて前記バネ付勢位置から前記バネ付勢されていない位置への前記交換インジケータの移動をトリガーするように構成される、取り外し可能なワークピース。
【発明の詳細な説明】
【背景技術】
【０００１】
電動式スキンケア器具は、現在、被験者の皮膚を浄化、剥離、およびマッサージするために使用されている。典型的には、これらのスキンケア器具は、パーソナルケア器具に選択的に結合された交換可能なワークピースを含む。時にはヘッドと呼ばれるワークピースは、被験者の皮膚にスキンケア治療を施すアプリケータを含む。パーソナルケア器具は、治療の有効性を高めるために、ワークピースに動きを与える。市販のスキンケア器具は、典型的には、回転運動または振動運動のいずれかを用いる。
【０００２】
今日市販されているいくつかの一般的なスキンケア器具では、アプリケータは、1つ以上の剛毛房を含み、時にはブラシヘッドと呼ばれる。使用中、ブラシヘッドの剛毛は、被験者の皮膚との繰り返しの接触に起因して損傷を受ける可能性がある。剛毛は、汚れ、油、メーキャップなどの存在によりその有効性を失う可能性もある。さらに、これらの装置は湿った状態で使用され、人間と接触するので、望ましくない細菌、菌類、植物相および/動物相が、最終的にブラシヘッド上に存在することがある。
【０００３】
ほとんどのユーザーは、いつスキンケア器具のブラシヘッドを交換するのかわからないため、通常、意図した寿命を超えてブラシヘッドを使用します。したがって、多くの製造業者は、この問題に対処するためのブラシヘッドの推奨交換期間を有している。いくつかの顧客に成功する一方で、ユーザーがブラシヘッドを適切な時期に交換するために、他の解決策が望まれている。
【発明の概要】
【発明が解決しようとする課題】
【０００４】
上述した問題に対処するために、交換可能ブラシヘッドのようなワークピースと共に使用することが適した交換インジケータのいくつかの例が開示されている。いくつかの実施形態では、交換インジケータは、摩耗インジケータの形態で構成される。使用時には、交換インジケータは、ワークピースの交換を推奨する指示をユーザーに提供することができる。そのような表示は、使用回数、時間、および/または環境条件などに基づいて発生し得る。
【課題を解決するための手段】
【０００５】
本開示の１つの態様によれば、電動式パーソナル器具とともに使用するためのスキンブラシヘッドが提供される。スキンブラシヘッドは、外面を有する本体と、本体の外面に結合された治療アプリケータとを含む。一実施形態における治療アプリケータは、被験者の皮膚に治療を適用するように構成される。スキンブラシヘッドはまた、スキンブラシヘッドの使用量が生じた後に治療アプリケータに対して交換位置に移動するように構成されたインジケータ部材を含む交換インジケータを含む。一実施形態における交換位置は、スキンブラシヘッドの交換のための推奨をユーザーに示す。
【０００６】
本開示の１つの態様によれば、電動式パーソナル器具と共に使用するための取り外し可能なワークピースが提供される。取り外し可能なワークピースは、外面を有する本体と、本体の外面に結合された治療アプリケータとを含む。一実施形態における複数の剛毛などの治療アプリケータは、被験者の皮膚に治療を適用するように構成される。ワークピースはまた、ワークピースの使用量が発生した後に、ワークピースの交換推奨を提供するための手段を含む。ワークピース交換推奨を提供するための手段は、一実施形態では、部材が治療アプリケータの外端に隣接する展開位置に移動可能なインジケータを含む。
【０００７】
本開示の１つの態様によれば、電動式パーソナル器具と共に使用するための取り外し可能なワークピースが提供される。取り外し可能なワークピースは、外面を有する本体と、本体の外面に結合された治療アプリケータとを含む。一実施形態では、複数の剛毛などの治療アプリケータは、被験者の皮膚に治療を適用するように構成される。ワークピースはまた、ワークピースの使用量が発生した後に、ワークピースの交換推奨を提供するための手段を含む。ワークピースの交換推奨を提供するための手段は、インジケータがバネによって保持器に対して外方に付勢されている装填位置から移動可能なインジケータと、インジケータが治療アプリケータの外端に隣接する交換推奨位置とを含む。ワークピースは、バネ力の下で、インジケータ部材の装填位置から交換信号位置への移動をトリガーするためのトリガー手段をさらに含む。
【０００８】
本開示の１つの態様によれば、電動式パーソナル器具と共に使用するための取り外し可能なワークピースが提供される。取り外し可能なワークピースは、外面を有する本体と、本体の外面に結合された治療アプリケータとを含む。一実施形態では、複数の剛毛などの治療アプリケータは、被験者の皮膚に治療を適用するように構成される。ワークピースはまた、本体によって支持され、バネ付勢位置とバネ付勢されていない位置との間で移動するように構成された交換インジケータと、バネ付勢位置に交換インジケータを保持するように構成された保持器と、交換インジケータ部材をバネ付勢位置からバネ付勢されていない位置への移動をトリガーするトリガー手段とを含む。
【０００９】
本開示の１つの態様によれば、電動式パーソナル器具と共に使用するための取り外し可能なワークピースが提供される。取り外し可能なワークピースは、外面を有する本体と、本体の外面に結合された治療アプリケータとを含む。一実施形態では、複数の剛毛などの治療アプリケータは、被験者の皮膚に治療を適用するように構成される。ワークピースはまた、本体によって支持され、バネ付勢位置とバネ付勢されていない位置との間を移動するように構成された交換インジケータと、バネ付勢位置に交換インジケータを保持するように構成された生分解性保持器とを含む。一実施形態における生分解性保持器は、時間および環境条件に基づいて、バネ付勢位置からバネ付勢されていない位置への交換インジケータ部材の移動をトリガーするように構成される。
【００１０】
本開示の１つの態様によれば、電動式パーソナル器具と共に使用するための取り外し可能なワークピースが提供される。取り外し可能なワークピースは、外面を有する本体と、本体の外面に結合された治療アプリケータとを含む。一実施形態では、複数の剛毛などの治療アプリケータは、被験者の皮膚に治療を適用するように構成される。
ワークピースはまた、本体によって支持され、バネ付勢位置とバネ付勢されていない位置との間で移動するように構成された生分解性交換インジケータと、ばね付勢位置に交換インジケータを保持するように構成される保持器とを含む。一実施形態では、生分解性交換インジケータは、時間および環境条件に基づいて、交換インジケータ部材のバネ付勢位置からバネ付勢されていない位置への移動をトリガーするように構成される。
【００１１】
本開示の１つの態様によれば、電動式パーソナル器具と共に使用するための取り外し可能なワークピースが提供される。取り外し可能なワークピースは、外面を有する本体と、本体の外面に結合された治療アプリケータとを含む。一実施形態では、複数の剛毛などの治療アプリケータは、被験者の皮膚に治療を適用するように構成される。ワークピースはまた、本体によって支持され、バネ付勢位置とバネ付勢されていない位置との間を移動するように構成された生分解性交換インジケータと、バネ付勢位置に生分解性交換インジケータを保持するように構成される生分解性保持器とを含む。一実施形態では、生分解性交換インジケータおよび/または生分解性保持器は、時間および環境条件に基づいて、交換インジケータ部材のバネ付勢位置からバネ付勢されていない位置への移動をトリガーするように構成される。
【００１２】
本開示の１つの態様によれば、電動式スキンケア器具が提供される。この器具は、電動式ハンドルを含み、電動式ハンドルは、モータと、電動式ハンドルに取り外し可能に取り付けられ、モータによって動かされるように構成された交換可能なスキンブラシヘッドとを含む。様々な実施形態によれば、スキンブラシヘッドは、請求項１〜請求項２０のいずれか1つに従って構成することができる。
【００１３】
本開示の１つの態様によれば、電動式治療器具が提供される。この器具は、電動式ハンドルを含み、電動式ハンドルは、モータと、電動式ハンドルに取り外し可能に取り付けられ、モータによって動かされるように構成されたスキンブラシヘッドとを含む。一実施形態では、スキンブラシヘッドは、外面を有する本体と、本体の外面から外側に延びる複数の剛毛と、スキンブラシヘッドに関連付けられた交換インジケータとを含む。一実施形態の交換インジケータは、スキンブラシヘッドの使用量の後にスキンブラシヘッドの交換のための推奨をユーザーに示すために、複数の剛毛に関して交換信号位置に移動するように構成されたインジケータ部材を含む。
【００１４】
本開示の１つの態様によれば、電動式パーソナル器具とともに使用するためのスキンブラシヘッドが提供される。スキンブラシヘッドは、外面を有する本体と、本体の外面に結合された複数の剛毛房と、ブラシヘッドに関連する摩耗インジケータとを含む。一実施形態における摩耗インジケータは、スキンブラシヘッドの使用量の後にスキンブラシヘッドの交換を推奨する指示をユーザーに提供するように構成される。
【００１５】
本開示の1つの態様によれば、電動式パーソナル器具とともに使用するためのスキンブラシヘッドが提供される。ブラシヘッドは、外面を有する本体と、本体の外面に結合された複数の剛毛房などのような治療アプリケータとを含む。一実施形態の治療アプリケータは、被験者の皮膚に治療を適用するように構成される。ブラシヘッドはまた、スキンブラシヘッドの使用量の後にスキンブラシヘッドの交換を推奨する指示をユーザーに提供するための手段を含む。
【００１６】
本開示の別の態様によれば、電動式器具が提供される。この器具は、電動式ハンドルを含み、電動式ハンドルは、モータと、電動式ハンドルに選択的に取り付けられ、モータによって移動されるように構成されたスキンブラシヘッドとを含む。様々な実施形態におけるスキンブラシヘッドは、請求項３２〜請求項４０のいずれか１つに記載の構成になっている。
【００１７】
この要約は、以下の「詳細な説明」でさらに説明する概念の選択を簡略化した形で紹介するために提供される。この要約は、請求される主題の重要な特徴を特定することを意図したものではないし、請求される主題の範囲を決定する助けとして使用されることも意図していない。
【図面の簡単な説明】
【００１８】
本開示の主題の前述の態様およびそれに付随する多くの利点は、添付の図面と併せて以下の詳細な説明を参照することにより、よりよく理解されるようになるにつれて、より容易に理解されるであろう。
【００１９】
【図１】図1は、本開示の態様によるブラシヘッドの一例の等角図であり、ブラシヘッドは、適当なパーソナルケア器具から分解されている。
【図２】図２は、図1のブラシヘッドの断面図である。
【図３】図３は、本開示の態様による摩耗インジケータの一例を有する、パーソナルケア器具に結合されたブラシヘッドの上面図である。
【図４】図４は、各剛毛が摩耗または交換インジケータの形態でその上に配置された材料層を有する複数の剛毛の拡大概略図である。
【図５】図５は、ブラシヘッドの使用に基づいて摩耗または交換インジケータが経時的に色あせおよび/または部分的に除去されている、図３のパーソナルケア器具に結合されたブラシヘッドの上面図である。
【図６】図６は、本開示の態様による摩耗または交換インジケータの別の例を有する、パーソナルケア器具に結合されたブラシヘッドの上面図である。
【図７Ａ】図７Ａは、各剛毛が内側材料層およびその上に配置された外側材料層を有し、摩耗または交換インジケータを形成する複数の剛毛の拡大概略図である。
【図７Ｂ】図７Ｂは、各剛毛が内側材料層およびその上に配置された外側材料層を有し、摩耗または交換インジケータを形成する複数の剛毛の拡大概略図である。
【図８】図８は、ブラシヘッドの交換が必要であることを示す内側材料層を示すために、外側層が経時的に除去されている、図６のパーソナルケア器具に結合されたブラシヘッドの上面図である。
【図９】図９は、本開示の態様による磨耗または交換インジケータを有するブラシヘッドの別の例の上面図である。
【図１０Ａ】図１０Ａは、本開示の態様による磨耗または交換インジケータの別の例を含むブラシヘッドの部分断面図である。
【図１０Ｂ】図１０Ｂは、本開示の態様による磨耗または交換インジケータの別の例を含むブラシヘッドの部分断面図である。
【図１１】図１１は、本開示の態様による磨耗または交換インジケータのさらに別の例を含むブラシヘッドの部分断面図である。
【図１２】図１２は、本開示の態様による磨耗または交換インジケータのさらに別の例を含むブラシヘッドの部分断面図である。
【図１３Ａ】図１３Ａは、本開示の態様による磨耗または交換インジケータのさらに別の例を含むブラシヘッドの部分断面図である。
【図１３Ｂ】図１３Ｂは、本開示の態様による磨耗または交換インジケータのさらに別の例を含むブラシヘッドの部分断面図である。
【図１４Ａ】図１４Ａは、本開示の態様による磨耗または交換インジケータのさらに別の例を含むブラシヘッドの部分断面図である。
【図１４Ｂ】図１４Ｂは、本開示の態様による磨耗または交換インジケータのさらに別の例を含むブラシヘッドの部分断面図である。
【図１５】図１５は、本開示の態様による保持インサートスリーブの1つの代表例の斜視図である。
【図１６Ａ】図１６Ａは、本開示の態様による磨耗または交換インジケータのさらに別の例を含むブラシヘッドの部分断面図である。
【図１６Ｂ】図１６Ｂは、本開示の態様による磨耗または交換インジケータのさらに別の例を含むブラシヘッドの部分断面図である。
【図１７Ａ】図１７Ａは、本開示の態様による磨耗または交換インジケータのさらに別の例を含むブラシヘッドの部分断面図である。
【図１７Ｂ】図１７Ｂは、本開示の態様による磨耗または交換インジケータのさらに別の例を含むブラシヘッドの部分断面図である。
【図１８Ａ】図１８Ａは、本開示の態様による磨耗または交換インジケータのさらに別の例を含むブラシヘッドの部分断面図である。
【図１８Ｂ】図１８Ｂは、本開示の態様による磨耗または交換インジケータのさらに別の例を含むブラシヘッドの部分断面図である。
【図１９Ａ】図１９Ａは、本開示の態様による磨耗または交換インジケータのさらに別の例を含むブラシヘッドの部分断面図である。
【図１９Ｂ】図１９Ｂは、本開示の態様による磨耗または交換インジケータのさらに別の例を含むブラシヘッドの部分断面図である。
【図１９Ｃ】図１９Ｃは、本開示の態様による磨耗または交換インジケータのさらに別の例を含むブラシヘッドの部分断面図である。
【図２０】図２０は、本開示の態様による保持インサートプレートの1つの代表例の斜視図である。
【図２１Ａ】図２１Ａは、本開示の態様による磨耗または交換インジケータのさらに別の例を含むブラシヘッドの部分断面図である。
【図２１Ｂ】図２１Ｂは、本開示の態様による磨耗または交換インジケータのさらに別の例を含むブラシヘッドの部分断面図である。
【図２２】図２２は、本開示の態様による磨耗または交換インジケータのさらに別の例を含むブラシヘッドの部分断面図である。
【図２３】図２３は、本開示の態様による摩耗または交換インジケータのさらに別の例を含むブラシヘッドの部分断面図である。
【図２４】図２４は、本開示の態様による磨耗または交換インジケータのさらに別の例を含むブラシヘッドの部分断面図である。
【図２５】図２５は、パーソナルケア器具の一例を形成するブロック図を示す。
【発明を実施するための形態】
【００２０】
添付の図面に関連して以下に説明される詳細な説明は、同じ参照番号が同じ要素を参照するものは、開示される主題の様々な実施形態の説明として意図され、唯一の実施形態を表すことを意図しない。本開示に記載された各実施形態は、単なる例示または説明として提供され、他の実施形態よりも好ましいまたは有利であると解釈されるべきではない。本明細書で提供される例示的な実施例は、網羅的であること、または特許請求された主題を開示された正確な形態に限定することを意図するものではない。
【００２１】
以下の説明は、スキンケアに関する器具の例を提供し、より具体的には、被験者の体の任意の外側部分の皮膚治療のためのパーソナルケア器具と共に使用するのに適した交換可能ブラシヘッドに関する。交換可能ブラシヘッドの例には、交換インジケータが含まれ、これは、ユーザーに、ワークピースの交換を推奨する指示を提供することができる。本明細書のいくつかの実施例では、約３ヶ月の日常使用後にワークピースの交換が推奨されるが、他の予定された交換手順が使用されてもよい。
【００２２】
いくつかの実施例では、交換インジケータは、ブラシの少なくとも1つのセクションの複数の剛毛先端に印刷、浸漬、塗装または他の方法で塗布された着色材料層である。塗布された材料層は、花などの絵、リングなどのパターン、または、記号、文字、数字もしくは単語などの印の形態であり得る。いくつかの実施形態では、この材料層またはコーティングは、摩耗、接着力の損失、溶解性など、およびそれらの組み合わせを介して磨耗または退色し、それにより交換が必要であることが示される。他の実施形態では、この材料層またはコーティングは、剛毛、ブラシ本体などの基材の色が現れる摩耗、接着力の損失、溶解性など、およびそれらの組み合わせを介して摩耗または退色し、それにより交換が必要であることが示される。さらに他の実施形態では、材料層またはコーティングは、磨耗、接着力の低下、溶解性など、およびそれらの組み合わせを経て経時的に除去され、交換のための推奨を示す単語、記号、または他のインジケータを提示する、第２下地材料層またはコーティングが現れる。
【００２３】
他の実施例では、交換インジケータは、ワークピースが交換を必要としていることをユーザーに示すか、または信号をユーザーに提供する機械的アクチュエータまたは「ポップアップ」装置を含むことができる。以下に詳細に説明する実施形態では、このような装置は、バネの付勢力に抗して格納位置に装填されたピストン状インジケータを含む。装置は、保持器などを介して格納位置に装填されたままである。トリガー機構の作動により、装填されたピストン状インジケータが格納位置から解放され、それにより、展開されたまたは交換信号位置に移行する。いくつかの実施例では、保持器は、経時的に弱化または劣化する摩耗層である。他の実施形態では、保持器は、時間および/または環境に敏感な接着剤を含む。いくつかの実施形態では、トリガー機構は、経時的な環境条件に応答する保持器および/またはピストン状インジケータの分解、生分解などによってトリガーされる。これらの実施形態のいくつかでは、保持器またはピストン状インジケータ、またはその両方は、１つまたは複数のオキソ生分解性プラスチック、バイオベースポリマーなど、またはそれらのブレンドを含む。
【００２４】
以下の説明では、本開示の1つ以上の実施形態の完全な理解を提供するために、多数の特定の詳細が示される。しかしながら、当業者には、本開示の多くの実施形態が、特定の詳細の説明のいくつかまたはすべてがなくとも実施され得ることは明らかであろう。さらに、本開示の実施形態は、本明細書に記載された特徴の任意の組合せを使用することができることが理解されよう。
【００２５】
ここで図１を参照すると、本開示の態様によって形成された、概略的に２０で示されるワークピースの一例が示されている。ワークピース２０は、器具２２のようなパーソナルケア器具と共に使用するのに適している。図示される実施形態では、ワークピース２０は、スキンブラシヘッド（以下、「ブラシヘッド２０」という）の形態である。以下でより詳細に説明するように、ブラシヘッド２０はまた、摩耗インジケータと呼ばれることがある交換インジケータ８０を含み、これは、例えば図３に示すように、ブラシヘッド２０の交換を推奨するユーザーに視覚的合図を提供する。使用時には、ブラシヘッド２０は、パーソナルケア器具２２によって、被験者の皮膚に対して回転、往復、振動などを加えて、例えば、洗浄、マッサージ、剥離などの治療を適用することができる。
【００２６】
ここで図１および図２を参照すると、ブラシヘッド２０の一例がより詳細に説明される。図２に示すように、ブラシヘッド２０は、外向きの外面４８を有する本体４４を含む。図示された実施形態では、本体４４は、他の幾何学的断面（すなわち、三角形、楕円形、小葉形、四角形など）が採用され得るが、概して円筒形の断面を有する。本体４４は、ナイロン、ポリプロピレン、ポリウレタン、ポリエチレンなどのプラスチックから構成することができるが、アルミニウム、チタンなどの軽金属を含む他の材料を利用してもよい。
一実施形態では、本体４４は、外面４８に垂直に向けられた細長い円筒形のボア４６を含む。ボアは、外面４８によって形成される開口５０、または外面４８に配置される開口５０を含む。以下でより詳細に説明するように、本体４４は、パーソナルケア器具２２の、例えば駆動ボス５２などの、構成要素と直接的または間接的に接続するように構成することができる。
【００２７】
ブラシヘッド２０はまた、本体４４の外面４８に結合され、そこから外向きに延びる治療アプリケータを含む。いくつかの実施形態では、治療アプリケータは、例えば、図１に示すように、複数の剛毛６４の形態である。複数の剛毛６４は、間隔をあけて配置することができ、または図１に示す実施形態では、複数の剛毛６４をグループ化して（例えば、２０−１８０個の剛毛）１つ以上の房６０を形成することができる。いずれの場合も、剛毛６４は、本体４４の外面４８から上方に延び、剛毛先端７０として終結する。本開示のいくつかの実施形態における剛毛６４は、長さが約０．２０インチ（５．０８ミリメートル）〜約１．２インチ（３０．４８ミリメートル）以上であり、直径が約０．００２インチ（０．０５０８ミリメートル）〜約０．０２０インチ（０．５０８ミリメートル）以上である。一実施形態では、剛毛６４の直径は、約０．００２インチ（０．０５０８ミリメートル）〜約０．００５インチ（０．１２７ミリメートル）の範囲内にある。いくつかの実施形態では、剛毛の１つのグループは、剛毛の別のグループよりも長い長さを有し得る。さまざまな長さの剛毛を有するブラシヘッドの一例が、２０１３年４月１２日に出願された同時係属中の米国特許出願第１３／８６２２８０号に記載されている。剛毛６４は、エラストマー、共エラストマー、ポリマー、コポリマー、およびそれらのブレンドまたは組み合わせなどを含むが、これらに限定されない様々な材料から構成することができる。
【００２８】
いくつかの実施形態では、剛毛６４の１つ以上は、ＤｕＰｏｎｔＴＭＴｙｎｅｘ（登録商標）、ＳｕｐｅｒｓｏｆｔＨｙｔｒｅｌ（登録商標）熱可塑性エラストマーフィラメントまたはＤｕＰｏｎｔＴＭＮａｔｒａｆｉｌ（登録商標）ソニック用途に適した高性能テクスチャー添加剤を含むポリエステルなどのポリブチレンテレフタレート（ＰＢＴ）ポリエステルまたはＴＰＥ／ＰＢＴブレンドから構成されてもよい。異なるブレンドのデュポン（ＤｕＰｏｎｔ）（登録商標）Ｔｙｎｅｘ（登録商標）ナイロン（すなわち、６，６．１０，６．１２など）のような異なる曲げおよびインク接着特性を有するフィラメントも、以下により詳細に説明されるように、その意図する用途および所望の接着特性に応じて選択することができる。他のＤｕＰｏｎｔ（商標）Ｔｙｎｅｘ（商標）ナイロンを使用して、ＤｕＰｏｎｔ（商標）Ｔｙｎｅｘ（登録商標）ＰＴＦＥを含むフィラメントを構成することができる。デュポン（ＤｕＰｏｎｔ）（登録商標）Ｔｙｎｅｘ（登録商標）ＰＴＦＥは、後述するように、内側層、中間層、または外側材料層に適した別の接着性変数を再び与える滑りやすい感触を提供する添加剤を充填したナイロン６．１２（すなわち、０９０６）である。他の実施形態では、剛毛は、エラストマーから構成することができ、またはエラストマーを含むことができる。そのような例の１つは、エラストマー（例えば、ＴＰＥ）内側コアおよびポリマー（例えば、ＰＢＴ）外側ジャケットを含む。デュポンの材料は、本明細書においてその商品名で言及されているが、一般的な同等物および変形物、例えば、ポリプロピレン、デュポン（ＤｕＰｏｎｔ）（登録商標）Ｂｙｎｅｌ（登録商標）などのポリエチレン、それらの組合せまたはブレンドなど、も適用されてもよいと理解される。
【００２９】
いくつかの実施形態では、剛毛６４は、丸い中実、中空、長方形、ダイヤ形状、中空、長方形、Ｘ字形、四角形、テクスチャー加工された表面などを含む断面を有することができるが、これらに限定されるものではない。音波共鳴特性を高めるか、または抗菌効果のための銀ゼオライトなどの追加の利点を提供する添加剤を添加することができる。以下でより詳細に説明するように、フィラメントの表面エネルギーを改変し、表面エネルギーを制御するために添加剤を使用することもできる。
【００３０】
引き続き図２を参照すると、いくつかの実施形態におけるブラシヘッド２０は、追加の外側保持器７６も含むことができる。外側保持器７６は、本体４４を取り囲むような大きさで構成された中央の円筒形状の開口部を形成する。いくつかの実施形態では、複数の剛毛６４が外側保持器７６の外面から延びている。さらに他の実施形態では、保持器７６は、剛毛（例えば、フィラメント）がなく、より装飾的なデザインを有していてもよい。本体４４および外側保持器７６は、いくつかの実施形態では、ブラシヘッド２０のパーソナルケア器具２２への選択的取り付けを提供するように構成された取り付けシステムを一緒に含む。
【００３１】
上記で簡単に説明したように、ブラシヘッド２０は、図１に示すように、摩耗または交換インジケータ８０をさらに含む。図３〜図５に示す実施形態では、摩耗インジケータ８０は、複数の剛毛６４、房６０、またはその一部に配置された着色材料層８２（図４参照）を含む。着色材料層８２は、ブラシヘッドの１つ以上のセクションにおいて剛毛先端７０に印刷、浸漬、塗装またはその他の方法で塗布することができる。これに関して、いくつかの実施形態では、材料層８２は、花などの絵、リングなどのパターン、またはシンボル、文字、数字もしくは単語などの記号の形態であってもよい。他の実施形態では、着色材料層８２は、例えば、白色、赤色、青色などの無地色であってもよい。
【００３２】
いくつかの実施形態では、材料層８２は、摩耗または退色するように構成することができ、それによって交換の必要性が示される。他の実施形態では、材料層８２は、剛毛６４や本体４４などの基材の色を明らかにする摩耗または退色をするように構成することができ、それにより交換の必要性が示される。いくつかの実施形態では、退色は、被験者の皮膚または毛髪に対する摩耗によって引き起こされ得る。それに加えてまたはこれに代えて、退色は、液体、例えば水、クレンジング剤、スキンケア製剤などとのその相互作用に基づくことができる。いくつかのこれらの実施形態では、材料層８２は、Ｅｌｖａｎｏｌのようなポリビニルアルコールを含むことができ、例えば、約０．１ｍｍ未満の厚さであり得る。さらに、退色は、材料層８２とその下にある基材、例えば毛先７０との間の接着力の損失または減少によって引き起こされ得る。
【００３３】
本開示の別の態様によれば、摩耗インジケータ８０は、複数の剛毛６４、房６０、またはその一部分上に配置された複数の層８２Ａ、８２Ｂを含むことができる。図６〜図８に示す実施形態では、ブラシヘッドの１つ以上のセクション上の剛毛先端７０に第１材料を印刷、浸漬、塗装またはその他の方法で塗布して第１材料層または内側材料層８２Ａを形成する。これに関して、第１材料層８２Ａは、ブラシヘッド交換の必要性を示す記号または単語の形態であってもよいし、含んでいてもよい。図示された実施形態では、第１材料層または内側層８２Ａは、例えば、ブラシヘッドを交換するための普遍的な記号を描写が明らかになり得る「Ｘ」記号を形成する。別の実施形態では、内側層８２Ａは、例えば「ＲＥＰＬＡＣＥ」のような単語を、ユーザーへの指示メッセージとして綴ってもよい。次いで、少なくとも第１または内側材料層８２Ａを覆うように第２材料を印刷、浸漬、塗装または他の方法で塗布し、それによって第２材料層または外側材料層８２Ｂを形成する。上記形成が適用されると、第２材料層または外側材料層８２Ｂは、第１材料層または内側層８２Ａによって形成されたメッセージまたはインジケータを隠すか、または難読化する。いくつかの実施形態では、第２材料層または外側層８２Ｂは、赤色、青色、緑色などの無地の色、被覆パターン、画像などであってもよい。
【００３４】
これらの実施形態では、第１材料または内側材料層８２Ａの材料は、ほぼ永続的な接着および耐摩耗性を達成するように選択することができる。材料層８２Ａを形成するために使用することができる材料の例は、いくつかを挙げると、アクリレートモノマー、アクリレートオリゴマー、アミンアクリレート、アクリルエステルである。これらの材料は、ＵＶ硬化性であってもよい。いくつかの実施形態では、材料層８２Ａは、商業的に入手可能なインクジェット式プリンタを介してブラシヘッド２０の剛毛先端７０に塗布されるように、印刷可能なインクとして配合することができる。材料層８２Ａを形成するために、塗装、浸漬などを含む他の塗布技術を用いて材料を塗布することができることは理解されよう。
【００３５】
いくつかの実施形態では、材料層８２Ｂは、第１材料層８２Ａなどの基材の色を明らかにすることができる摩耗または退色するように構成することができ、それにより交換の必要性を示す。いくつかの実施形態では、退色は、被験者の皮膚または毛髪に対する摩耗によって引き起こされ得る。それに加えてまたはこれに代えて、退色は、液体、例えば水、クレンジング剤、スキンケア製剤などとのその相互作用に基づくことができる。いくつかのこれらの実施形態では、材料層８２は、Ｅｌｖａｎｏｌなどのポリビニルアルコールを含むことができ、例えば、厚みを約＜０．１ｍｍとすることができる。さらに、退色は、材料層８２Ｂとその下の基材、例えば材料層８２Ａとの間の接着力の損失または減少によって引き起こされ得る。他の実施形態では、内側層８２Ａと外側層８２Ｂとの間に汚染層（図示せず）を配置してそれらの間の接着力を低減し、ブラシヘッド２０が経時的に使用されるときに外側の第２層８２Ｂを内側の第１層８２Ａから分離することを可能とする。
【００３６】
本開示の別の態様によれば、摩耗インジケータ８０は、図３Ａ〜図３Ｂを参照して上述した材料層８２または８２Ｂなどの材料層とともに、剛毛先端７０またはその一部によって少なくとも部分的に形成されてもよい。例えば、いくつかの実施形態では、材料層８２は、着色または染色された剛毛先端７０に塗布することができる。これらの実施形態では、塗布された材料層８２の色は剛毛先端７０とは異なる。使用時には、材料層８２が磨耗するか、接着力が失われるか、または他の方法で褪色するなどして、着色された剛毛先端７０が視覚的になり、ユーザーにブラシヘッドの交換の推奨を示す。他の実施形態では、上述のように、「Ｘ」などの記号、または「交換」などの単語を形成するために、剛毛先端７０の選択グループが着色（例えば、染色）される。これらの実施形態では、材料層８２または８２Ｂなどの材料層は、着色された剛毛先端７０を覆う。これらの実施形態における塗布された材料層８２または８２Ｂは、材料層８２が着色された剛毛先端を覆い隠すか、または難読化する限り、任意の色を有することができることを理解されたい。使用時には、材料層８２または８２Ｂが磨耗するか、接着力が失われるか、または他の方法で褪色するなどして、剛毛先端によって形成された記号、単語などが視覚的になり、ユーザーにブラシヘッドの交換の推奨を示す。剛毛先端部は、従来の方法で染色することができることが理解されよう。
【００３７】
上述したように、摩耗インジケータ８０は、摩耗が、材料層と剛毛先端７０（例えば、基材）との間の接着、内側層及び外側材料層８２Ａ、８２Ｂ間の接着、又は材料層８２および本体４４間の接着によって少なくとも部分的に制御されるように構成することができる。これに関して、当業者は、材料の表面張力および比較表面エネルギーが、コーティング（材料層）と基材（例えば、コーティングされているフィラメント材料、内部材料層、本体の最表面など）との間に存在する結合の強度を決定することを理解する。固体が液体（すなわちインク、塗料など）の表面張力と比較して高レベルの表面エネルギーを有する場合、インク、塗料などの間の分子引力を増加させる分子引力が増大し、優れた結合を生むであろう。本開示の１つ以上の態様を実現するための適切なレベルの接着を達成するために、基材表面エネルギーは、表面コーティングとして使用される接着剤、インク、塗料などの表面張力より少なくとも５ｍＮ／ｍ（ｄｙｎｅ／ｃｍ）以上の範囲であるべきである。いくつかの実施形態では、本体４４の外面４８は、所望であれば、材料層８２と有利に相互作用するために、特定の材料層でコーティングすることができる。
【００３８】
材料層８２と基材（剛毛先端７０、内側材料層８２Ａ、本体４４など）との間の接着の制御は、材料層および基材を構成するために使用される材料の選択によって簡単に実現できることが理解されよう。材料の選択による材料層８２の表面張力に対する基材表面エネルギーを変えることは、接着強度の変更を可能にし、結果として、例えば、製品の所定の使用期間を反映するための期間を変更させる手段を提供する。いくつかの実施形態では、剛毛６４または材料層８２、またはその両方は、フィラメントと特定のインク、塗料またはコーティングとの間の接着力を制御するのを補助するために添加剤を担持してもよい。いくつかの実施形態では、ラテックスは、材料層８２Ｂと８２Ａとの間の結合破壊を促進するのに適した接着脆弱性を提供するように構成され得る層内で、層効果を生じさせ得るアクリル配合インクと混合され得る。ラテックスを含むアクリルとラテックスを含まないアクリルとの間の表面エネルギー差は、２ｄｙｎｅ／ｃｍ〜５ｄｙｎｅ／ｃｍの範囲であり得る。
【００３９】
材料間の接着に影響を及ぼすために、他の技術を追加的または代替的に使用してもよいことは理解されよう。例えば、基材と材料層（すなわち、表面コーティング）との間の接着特性を制御するために、基材に対する様々な表面処理を行うことができる。いくつかの実施形態では、高電圧コロナ処理およびプラズマ表面活性化処理のような表面処理は、表面エネルギーレベルを増加させて、化学吸着力を増加させるようにコーティング、印刷インク、塗料または接着剤の表面張力よりも大きくすることができる。そのような技術は、例えば、高密度ポリエチレン、ポリプロピレン、ＥＰＤＭおよびポリエチレンなどの低表面エネルギー材料で有用であり得る。
【００４０】
他の実施形態では、基材表面処理は、材料層８２と基材との間の接着特性を変えて、それにより接着特性を制御するために、例えば端部丸めなどの剛毛先端仕上げ技術の形態であってもよい。例えば、ポリプロピレン、ポリエチレン、ＰＴＦＥ処理されたナイロンなどの様々な材料の滑らかさは、いくつかの実施形態においては、材料層が接着する「歯」（すなわち、ピット、溝、チャネル、または他の３Ｄテクスチャーを含む機械的境界面）がないため接着を極めて困難にし得る。したがって、剛毛先端７０は、選択された期間にわたって材料層が接着するために予め選択された程度の歯を形成するために処理し得る。いくつかの実施形態では、処理は基材の歯の程度を減少させるが、他の実施形態では、処理は基材の歯の程度を増加させる。いくつかの実施形態では、材料の選択と基材表面処理の両方を使用して、選択された期間の間の接着性を提供する。
【００４１】
したがって、制御されたときの１つ以上の接着因子は、例えば、印刷、浸漬、塗装、または他の方法で塗装された塗料、インクなどであり得る材料層が経時的に摩耗（例えば、こすれ、退色、または除去される、など）することを可能にする技術または手段を提供する。この機能は、ブラシの交換を示す認識可能な記号、単語、色などを生じる基材を明らかにすることによって磨耗の表示を提供するために有利に利用し得る。この機能は、以下の様々な例で説明するように、機械的な「ポップアップ」装置をトリガーしてユーザーにブラシの交換を通知することによって摩耗の表示を提供するためにも有利に利用し得る。
【００４２】
いくつかの実施形態では、接着の程度を制御するための接着界面を提供するために、中間層またはコーティングの使用を追加的に採用し得る。例えば、基材と材料層との間に配置された、このようなラテックス、植物油などを含む油などの中間層またはコーティングは、エネルギーレベルの整合を補助し、接着する材料層（例えば、インクや塗料のコーティング、等）を提供し得るが、時間の経過と共に除去することができる。中間層８４の一例は、図７Ｂに示されるように、材料層８２Ｂ（外層として作用する）と８２Ａ（基材として作用する）との間に配置されている。中間層８４は、図４において、材料層８２（外側層）と剛毛６４（基材）との間に配置することもできることが理解されよう。
【００４３】
１つの代表的な実施形態では、ＵＶ硬化性インクジェットインクを、ポリブチレンテレフタレート（ＰＢＴ）ポリエステルまたはＤｕＰｏｎｔ（商標）Ｔｙｎｅｘ（登録商標）、ＳｕｐｅｒｓｏｆｔＨｙｔｒｅｌ（登録商標）熱可塑性エラストマーフィラメントなどのＴＰＥ／ＰＢＴブレンドのモノフィラメント先端に塗布した。インク塗布の前に、基材への初期接着のための適切な表面界面または「歯」を提供するために、フィラメント先端を端部丸めプロセスで処理した。この実施形態では、ＵＶ硬化性インクと剛毛先端との間の接着の程度を制御するための接着界面を提供するために、中間層またはコーティングを追加的に使用し得る。
【００４４】
接着効果を制御するために、フィラメントまたはコーティング材料および／または基材の表面処理を制御することに加えて、他の選択肢も存在し得る。例えば、いくつかの実施形態は、インクのワックス含量を制御してもよい。２つのインクのワックス含量が類似している場合、それらは十分に接着しない可能性がある。他方、一方のインクがワックス状でもう一方のインクがワックスを含まない場合には、表面エネルギーが高くなり、接着性が向上する。他の実施形態では、インク中のキャリア流体を調整（例えば、低減）し得る。これは、インクが特定のタイプの基材用に配合されても、インクと基材との間の不親和性を引き起こす可能性がある。これにより、塗布されたインクをより容易に掻き落として下の基材を露出させることができる。さらに、溶媒ベースのインクおよび水溶媒インクの使用を用いて、所望の表面エネルギーを制御してもよい。さらに、プラズマ処理を用いて基材エネルギーを増加させると、第１インク層も強化される。塗布された第１インク層を処理しないことにより、第１インク層と第２インク層との間の層間結合は接着性が低下し、したがって外側インク層をより除去しやすくする。
【００４５】
本明細書で論じるタイプの材料のいくつかの例を表すインクジェットインクは、バーモント州イーストドーセットのＰａｄＰｒｉｎｔＭａｃｈｉｎｅｒｙ（すなわち、ＰＬＴＩＪ−ＣＪ＃６０ホワイト、＃６５ブラック、＃１シアン、＃２マゼンタ、および＃３イエロー）によって製造される。これらおよび他のインクを塗布する装置は、ＰａｄＰｒｉｎｔＭａｃｈｉｎｅｒｙから提供される市販品も入手可能である。これらの特定のインクおよび装置は試料に利用されるが、他のインクおよび装置は本開示の実施形態に適している。
【００４６】
これまで説明した磨耗または交換インジケータ８０の実施形態は、ブラシヘッド２０の剛毛６４上に配置されているが、ブラシヘッド２０の他の実施形態も考えられる。例えば、材料層８２または材料層８２Ａ、８２Ｂのような摩耗インジケータ８０の構成要素は、図９に最も良く示されているように、本体４４の外面４８の１つまたは複数のセクション（例えば、中央領域など）に直接的または間接的に印刷、塗装、コーティング、またはその他の塗布に用いられてもよいし、または、図１０Ａ〜図１２Ｂに示されるように、機械的な「ポップアップ」装置に用いられてもよい。これらのまたは他の実施形態では、本開示の態様による所望の摩耗パターンと時間の関係を達成するために、１つ以上の摩耗係数は、本体、その上面および／または材料層の材料を具体的に選択することを含んで、制御され得る。
【００４７】
図１０Ａおよび図１０Ｂは、本開示の別の態様による、摩耗または交換インジケータ（概して１８０で示される）の別の例を示す。図１０Ａに示すように、交換インジケータ１８０は、一実施形態では、摩耗層１８２、ピストン状インジケータ部材１８６、およびバネ１８８によって形成された機械的「ポップアップ」装置１８４を含む。図１０Ａの装填位置または格納位置に組み立てられると、ピストン状インジケータ１８６は、ばね１８８の付勢力に抗して本体４４の開放端の細長い円筒形ボア４６内に装填され、摩耗層１８２によってその中に保持される。図示の実施形態では、磨耗層１８２は、部材１８６の頂部と、ボア開口部１９０を取り囲む本体４４の外面４８の一部との間に配置されている。いくつかの実施形態では、摩耗層１８２は、接着、熱接着などを介して開口部１９０上に取り付けられるか、または別の方法で取り付けられ得る。他の実施形態では、摩耗層１８２は、中間層（図示せず）を用いて開口部１９０上に印刷することができる。最初に開口部１９０の上に施されたとき、摩耗層１８２は、単独でまたは中間層と共にバネ１８８の付勢力に打ち勝つように構成される。
【００４８】
ブラシヘッドの使用の時間経過の間に、磨耗層１８２（および場合によっては接着剤が使用される場合には接着剤）は、摩耗、接着力の低下、溶解性の低下、またはそれらの組み合わせによって摩耗し始める。磨耗層１８２が経時的に摩耗すると、摩耗層１８２は、弱くなり、バネ１８８の付勢力に対する抵抗が小さくなる。摩耗層１８２が、もはやバネ１８８の付勢力に打ち勝つことができない点まで弱くなると、バネ１８８の付勢力は、ピストン状インジケータ１８６を、摩耗層１８２を通って、図１０Ｂに示す展開位置に押し込む。したがって、摩耗層１８２は、トリガー機構のように作用し、ピストン状インジケータ１８６をその装填位置または格納位置から解放させる。展開されたまたは交換される信号位置において、ピストン状インジケータ１８６はユーザーに視認可能であり、それによりブラシヘッドの交換を推奨することをユーザーに示唆する。いくつかの実施形態では、ピストン状インジケータ１８６の頂部は剛毛６４の頂部に隣接し、いくつかの実施形態では、部材１８６の頂部は剛毛６４の外側に延在する。ピストン状インジケータ１８６の視認性を高めるために、ピストン状インジケータ１８８の上部セクションは、赤のような無地の色を含むことができる。磨耗層１８２は、以下の他の実施形態で説明されるように、オキソ生分解性プラスチック、バイオベースポリマーなど、ブレンド、および／またはその誘導体から形成されてもよいことが理解されよう。
【００４９】
図１１に示す別の実施形態では、「ポップアップ」装置１８４は、摩耗層１８２、ピストン状インジケータ１８６、および、バネまたは付勢部材１８８によって再び形成することができる。図１１に示すように、装置１８４は、中空円筒形状のインサートスリーブ１９２をさらに含み、インサートスリーブ１９２は、ブラシヘッドが組み立てられたときに嵌合を押圧するか、さもなければボア４６内に固定される。この実施形態では、「ポップアップ」装置１８４は、ピストン状インジケータ１８６が中空円筒形状のインサートスリーブ１９２のキャビティ内に配置され、バネ１８８を介して摩耗層１８２に対して外側に付勢された状態で予め組み立てることができる。図１１に示す実施形態では、インサートスリーブ１９２は、本体のボア４６内に実質的に配置される。しかし、図１２の実施形態に示すように、インサートスリーブ１９２の一部分がブラシ本体４４の外面４８の外側に突出する他の構成も可能である。図１２の実施形態では、ピストン状インジケータ１８６の移動距離は、必要に応じて、図１０Ａ、図１０Ｂおよび図１１の装置の移動距離よりも小さくすることができる。
【００５０】
図１３Ａおよび図１３Ｂは、本開示の別の態様による摩耗または交換インジケータ（概して２８０で示される）の別の例を示す。交換インジケータ２８０は、以下に説明する相違点を除いて、図１０Ａおよび図１０Ｂの交換インジケータ１８０と実質的に同様の構成、材料、および動作を有する。図１３Ａに示すように、交換インジケータ２８０は、機械的「ポップアップ」装置２８４を含む。この実施形態では、磨耗層１８２の代わりに、装置２８４のピストン状インジケータ２８６は、ボア４４の開口２９０（またはインサートスリーブ１９２の開口部が図１１または１２に示された実施形態に示されるものに似たもの）を覆うかまたは覆う、オーバーサイズまたはフランジ付きヘッド２９６を含む。一実施形態では、水、スキンケア配合物などに繰り返し暴露することによって結合強度を失うように構成された接着剤の形態のトリガー機構は、ヘッド２９６の下面と直接的または間接的に外面ブラシヘッド４４（またはインサートスリーブの上面）の外面４８との間の結合に使用することができる。経時的に接着性を失う接着剤も使用することができる。使用中、接着剤が例えば水、スキンケア配合物等に晒されるか、または時間依存性接着剤を使用する場合の時間の影響により、ヘッド２９６と本体４４（またはインサートスリーブ）との間の結合は、バネ２８８の付勢力をもはや克服できなくなるまで、連続的に弱くなる。その結果、バネ２８８の付勢力は、ピストン状装置２８６を本体４４（またはインサートスリーブ）から分離し、装置２８６を図１３Ｂに示す展開または交換信号位置に移動させる。
【００５１】
図１４Ａおよび図１４Ｂは、本開示の別の態様による、摩耗または交換インジケータ（概して３８０で示される）の別の例を示す。図１４Ａに示すように、交換インジケータ３８０は、ピストン状インジケータ３８６と、付勢部材３８８と、保持インサートスリーブ３９２とによって形成される機械的な「ポップアップ」装置３８４を含む。この実施形態では、ピストン状インジケータ３８６は、一方の端部から外側に延びる複数の剛毛３９３と、他方の端部から内側に延びる円筒状の支柱３９４とを含むことができる。一実施形態では、剛毛の一部分３９５は、容易な信号伝達のために、例えば赤色に着色される。ピストン状インジケータ３８６は、いくつかの実施形態では、横方向突起３９６をさらに含んでもよく、その利点は、以下にいくらか詳細に記載される。
【００５２】
さらに、図１４Ａおよび図１４Ｂを参照すると、保持インサートスリーブ３９２は、ブラシ本体４４のボア４６内に挿入または他の方法で配置され、そこにしっかりと保持されるように構成される（例えば圧入、接着など）。図１４Ａに示すように、インサートスリーブ３９２は、ピストン状インジケータ３８６の支柱３９４を自由に受け入れるように寸法決め及び配置された細長い円筒形状のキャビティで構成される。細長いキャビティは、インサートスリーブ３９２の頂部に配置された開口３９７と連通し、保持フィンガー３９８によって形成される（図１５参照）。一実施形態の開口部３９７は、概して円形であり、細長い円筒形状のキャビティよりも小さい直径を有し、支柱３９４と接合する形状を有する。一実施形態では、保持フィンガー３９８は半径方向内向きに突出し、クランプおよび／または摩擦力を介して外向きに付勢されたピストン状インジケータ３８６を装填位置に保持するように構成される。図１５に示す実施形態では、フィンガー３９８は、インサートスリーブ３９２の上面に形成された交互に傾斜したスリット３９９、穿孔などによって形成される。一実施形態では、インサートスリーブ３９２は、保持フィンガー３９８を形成するためのＴｉｎｎｅｒｍａｎタイプの開口部を含む。インジケータ３８６を図１５Ａの装填位置に保持するために他の手段を用いてもよい。
【００５３】
組み立てられると、ピストン状インジケータ３８４は、その支柱３９４が開口部３９７を通って延び、細長いキャビティによって部分的に収容されるように配置される。図１４Ａの格納位置または装填位置では、ピストン状インジケータ３８６は、支柱３９４の側壁に適用された保持フィンガー３９８の力に抗してバネまたは付勢部材３８８によって外側に付勢される。図１４Ａおよび図１４Ｂに示す実施形態では、バネまたは付勢部材３８８は、適切に構成されたコイルバネであるが、板バネ、皿バネ座金などの他の種類のバネを使用することもできる。使用することができるプラスチック板バネの一実施形態を図１６Ａ〜１６Ｂに示すが、他の構成の板バネを使用することもできる。他の実施形態では、付勢部材３８８は、圧縮可能なゴム、ＴＰＥなどのブロックであってもよく、バネとも呼ばれ得る。これらの実施形態のいずれにおいても、フィンガー３９８によってピストン状インジケータ３８８に加えられる力に打ち勝つための付勢力を生成することができ、ピストン状インジケータ３８６を図１４Ａの格納位置または積載位置から図１４Ｂの展開位置または信号位置まで予め選択された距離だけ直線的に移動させられる限り、任意のスプリングまたは付勢部材３８８を使用することができる。いくつかの実施形態では、移動距離は約１ｍｍ〜５ｍｍである。他の実施形態では、移動距離は約２ｍｍ〜３ｍｍである。
【００５４】
本開示の１つまたは複数の態様によれば、フィンガー３９８、およびいくつかの実施形態では、保持インサートスリーブ３９２は、オキソ分解性プラスチック、オキソ生分解性プラスチック、一般にバイオベースポリマーと呼ばれることもあるバイオプラスチック、ブレンド、コポリマー、および／またはそれらの誘導体を含む。以下でより詳細に説明するように、いくつかの実施形態における保持インサートスリーブ３９２のフィンガー３９８の材料特性は、トリガー機構のように作用し、ピストン状インジケータ３８６をその装填位置または格納位置から解放させる。追加的にまたは代替的に、ピストン状インジケータ３８６は、オキソ生分解性プラスチック、バイオベースポリマーなど、ブレンド、コポリマー、および／またはそれらの誘導体から形成される。以下でより詳細に説明するように、いくつかの実施形態におけるピストン状インジケータ３８６の材料特性は、追加的または代替的にトリガー機構のように作用し、ピストン状インジケータ３８６をその装填位置または格納位置から解放させる。
【００５５】
本開示の実施形態において使用されるバイオベースポリマーは、以下の１つ以上を含み得る。それらは、デンプン系プラスチック、セルロイドを含むセルロースエステルおよびその誘導体を含むセルロース系プラスチック、ポリ乳酸（ＰＬＡ）、ポリ−３−ヒドロキシブチラート（ＰＨＢ）、ポリヒドロキシアルカノエート（ＰＨＡ）等（これらに限定されないが）を含む脂肪族ポリエステルが挙げられる。１つ以上の実施形態において、バイオベースのポリマーは、オレフィンの代わりに使用され得る。
【００５６】
いくつかの実施形態では、保持インサートスリーブ３９２、フィンガー３９８、および／またはピストン状インジケータ３８６は、射出成形、ブロー成形、熱成形または他の方法によって、金属塩などのようなオキソ生分解性添加剤を含むポリオレフィン樹脂から形成される。一実施形態では、オキソ生分解性添加剤（ＯｘｏＴｅｒｒａ−Ｍ（登録商標）、ＷｉｌｌｏｗＲｉｄｇｅＰｌａｓｔｉｃｓ、Ｉｎｃ．、３２０８ＤｉｘｉｅＨｉｇｈｗａｙ、Ｅｒａｎｇｅｒ、Ｋｅｎｔｕｃｋｙ）は、保持インサートスリーブを形成するためにポリエチレンなどのポリオレフィンと混合される。ＯｘｏＴｅｒｒａ−Ｍ（登録商標）は、デンプンをベースにしない添加剤であり、オキソ生分解プロセスを使用してプラスチックを分解する。時間、雰囲気熱、および／またはＵＶ光は、プラスチックを酸化する。酸化のプロセスは、分子量を減少させ、ポリマー内に炭素基を形成させ、微生物がポリマーをさらに生分解させるようにする。
【００５７】
いくつかの実施形態では、１重量％〜３重量％の添加剤（ＯｘｏＴｅｒｒａ−Ｍ（登録商標））を、ポリエチレン、ポリプロピレン、ポリスチレンなどのポリオレフィン樹脂およびそれらのブレンドに添加して、適切な時間分解特性を提供する。トリガー時間は、バネの付勢力の変化、添加剤の含有率の変化、環境条件の変化などによって調整され得ることが理解されよう。いくつかの実施形態では、オキソ生分解性添加剤は、約１重量％〜１０重量％であり、他の実施形態ではオキソ生分解性添加剤は、約１重量％〜２０重量％である。本開示のいくつかの実施形態では、ポリオレフィンの生分解を引き起こす他のオキソ生分解性添加剤、例えば、ＰＤＱ−ＨまたはＰＤＱ−Ｍ（ＷｉｌｌｏｗＲｉｄｇｅＰｌａｓｔｉｃｓ、Ｉｎｃ）をまた使用してもよい。
【００５８】
他の実施形態では、保持インサートスリーブ３９２、フィンガー３９８、および／またはピストン状インジケータ３８６は、射出成形、熱成形、ブロー成形またはその他の方法によって生分解性熱可塑性樹脂であるＰｌａｓｔａｒｃｈ材料（ＰＳＭ）から形成される。一実施形態では、ＰＳＭは、ＰＳＭ（Ｋ）カンパニーリミテッド（香港、クイーンズ・ロード・セントラル、２８７−２９９センタマーク、ルーム４０４、４階）から供給される。保持インサートスリーブ３９２、フィンガー３９８、および／またはピストン状インジケータ３８６は、上述した他の分解性または生分解性プラスチック材料も含んでもよい。これらには、ポリ乳酸（ＰＬＡ）、Ｍｉｒｅｌ（登録商標）（Ｍｅｔａｂｏｌｉｘ、Ｃａｍｂｒｉｄｇｅ、Ｍａｓｓａｃｈｕｓｅｔｔｓから供給されるバイオプラスチック）などのポリヒドロキシアルカノエートポリマー（ＰＨＡ）などが含まれ得るが、これらに限定されるものではなく、これらは両方とも多くのアプリケーションにおいてオレフィンの代わりに使用してもよい。
【００５９】
格納位置又は装填位置において、ピストン状インジケータ３８６は、バネ又は付勢部材３８８によって保持フィンガー３９８の力に抗して外側に付勢される。同時に、複数の剛毛３９３の外端は、剛毛６４の外面以下であり、それは、例えば約１ｍｍから５ｍｍ下にある。ブラシの使用の時間経過の間、図１４Ａおよび図１５の保持フィンガー３９８、インサートスリーブ３９２、またはその一部分は、分解、生分解またはその他によって摩耗する。その結果、保持フィンガー３９８は、ピストン状インジケータ３８６の支柱３９４に対してより小さな力を加え、インサートスリーブの開口部３９７は、より大きくなるか、またはその両方になり、バネ３８８の付勢力に対する抵抗が小さくなる。フィンガー３９８が劣化し、および／または生分解して、もはやバネ３９２の付勢力に打ち勝つことができない点に達すると、バネ３９２の付勢力は、ピストン状インジケータ３８８を外向きに力を加え、図１４Ｂに示される展開位置または交換信号位置に移動させる。
【００６０】
このように、保持フィンガー３９８および／または保持スリーブの材料特性は、ポップアップ装置を展開位置または交換信号位置に展開する際の時間および／または環境トリガー機構を形成する。剛毛３９３は、展開位置または交換信号位置において、ユーザーに視認されるようにし、それにより、ブラシヘッドの交換を推奨することをユーザーに通知または示す。剛毛３９３の視認性を高めるために、剛毛の一部分３９５は、赤のような色を含み得る。
【００６１】
ピストン状インジケータ３８８がオキソ生分解性プラスチックまたはバイオベースポリマーを含む他の実施形態では、ピストン状インジケータ３８６は分解、生分解またはその他によって摩耗する。その結果、ピストン状インジケータ３８６の外周が減少し、保持フィンガーがバネ３８８の付勢力に対する抵抗を小さくする。ピストン状インジケータ３８６が、保持フィンガーがもはやバネ３９２の付勢力に打ち勝つことができない点まで一旦低下すると、バネ３９２の付勢力は、ピストン状インジケータ３８８を外向きに力を加え、展開位置または交換信号位置に移動させる。
【００６２】
上に簡単に述べたように、ピストン状インジケータ３８６は、突起３９６を含んでもよく、突起３９６は、図１の器具によって振動されたときに交換インジケータ３８０の慣性特性を変更する。このように、追加された慣性は、生分解性保持フィンガー３９８に対して付加的なトルク力を提供し、使用中に開口部３９７のさらなる劣化または拡大をもたらす。突起はまた、ブラシヘッドの使用環境および動作状態を補償するために、振動システムをいくらか調整することを可能とするものであってもよい。したがって、突出３９６のサイズおよび配置は、交換インジケータ３８０の所望のトリガー時間のための動的調整を可能にすることができる。交換インジケータ３８０の慣性は、それらの非同軸配置、インサートスリーブを非同心または非対称にするなど、他の方法で変更されてもよい。
【００６３】
図１７Ａおよび図１７Ｂは、本開示の別の態様による、摩耗または交換インジケータ（概して４８０で示される）の別の例を示す。摩耗インジケータ４８０は、より詳細に説明される相違点を除いて、図１４Ａおよび図１４Ｂの交換インジケータと実質的に同様の構成、材料、および動作を有する。図１７Ａに示すように、交換インジケータ４８０は、ピストン状インジケータ４８６、付勢部材４８８、および保持インサートスリーブ４９２によって形成された機械的な「ポップアップ」装置４８４を再び含む。この実施形態では、ピストン状インジケータ３８６は、複数のインジケータ剛毛４９３が外側に延びるフェルールによって形成される。一実施形態では、剛毛４９３の上部一部分４９５は、例えば、容易な信号伝達のために赤色に着色され、他の実施形態では、着色剤は、フェルールの頂部に向かって下方に延びる。一実施形態では、インジケータ剛毛４９３は、フェルール内に挿入され、クリンプされてその中に保持される。
【００６４】
ピストン状インジケータ４８６は、保持インサートスリーブ４９２の開口部４９７と接合するように寸法決めされ構成された外側スカート４９９をさらに含む。いくつかの実施形態では、外側スカート４９９は、オキソ分解性プラスチック、オキソ生分解性プラスチック、バイオベースポリマーなどで形成される。例えば、オキソ分解性プラスチック、オキソ生分解性プラスチック、バイオベースポリマーなどは、図１４Ａおよび図１４Ｂを参照して上述した材料のいずれかを含むことができる。一実施形態では、外側スカート４９９は、オーバーモールドによって形成される。別の実施形態では、外側スカート４９９は、生分解性プラスチックテープまたはフィルムの層によって形成される。さらに別の実施形態では、外側スカート４９９は、ポリオール（例えば、Ｅｌｖａｎｏｌ）の１層以上のコーティングによって形成され、浸漬され、噴霧され、ブラッシングされ、またはその他によってフェルールに適用され得る。これらの実施形態では、保持インサートスリーブ４９２は、図１７Ａに示すように、従来のプラスチックから構成することができる。この実施形態では、保持フィンガーを有するか又は有しない開口部４９７は、外側スカート４９９の外周よりも小さい。このように、外側スカート４９９と保持インサートスリーブ４９２との間の境界面は、ピストン状インジケータ４８６を装填位置に保持させる。これらの実施形態では、外側スカート４９９の材料特性は、ピストン状インジケータ４８６を、図１７Ａの装填位置から図１７Ｂの展開位置または交換信号位置に移動させる時間および／または環境トリガー機構として作用する。
【００６５】
別の実施形態では、図１８Ａに示すように、保持インサートスリーブ４９２は、図１４Ａおよび図１４Ｂの保持インサートスリーブ３９２と実質的に同様の、オキソ分解性プラスチック、オキソ生分解性プラスチック、バイオベースポリマーなどで構成することもできる。このように、保持インサートスリーブ４９２の材料特性に関連する外側スカート４９９の材料特性は、ピストン状インジケータ４８６を図１８Ａの装填位置から図１８Ｂの展開位置または交換信号位置へ移動させる時間および／または環境トリガー機構のように作用する。
【００６６】
図１４Ａ、図１４Ｂ、図１６Ａ、図１６Ｂ、図１７Ａ、図１７Ｂ、および図１８Ａ、図１８Ｂの実施形態は、交換インジケータによる１段階の信号伝達を示しているが、図１４Ａ、図１４Ｂ、図１６Ａ、図１６Ｂ、図１７Ａ、図１７Ｂ、および図１８Ａ、図１８Ｂのものを含む、本開示の１つ以上の実施形態で２段階の信号伝達も実施されてもよい。ここで図１９Ａおよび図１９Ｂを参照すると、本開示の別の態様による、２段階の信号伝達能力を有する摩耗または交換インジケータの例（概して６８０で示される）が示されている。摩耗インジケータ５８０は、より詳細に説明される相違点を除いて、図１４Ａおよび図１４Ｂの交換インジケータと実質的に同様の構成、材料、および動作を有する。図１９Ａに示すように、交換インジケータ５８０は、ピストン状インジケータ５８６および付勢部材５８８によって形成された機械的「ポップアップ」装置５８４を含む。この実施形態では、ピストン状インジケータ５８６は、段部５９４Ａおよび５９４Ｂを備えた支柱を含む。さらに、保持インサートスリーブ３９２の代わりに保持プレート５９２が使用される。さらに、剛毛５９３は、黄色部分５９５Ａおよび赤色部分５９５Ｂのなどの２つの異なる色を含む。
【００６７】
ここで図２０を参照し、保持プレート５９２についてより詳細に説明する。図２０に示すように、保持プレート５９２は、一対の保持フィンガーまたは突起５９８Ａおよび５９８Ｂを含む。一対の保持フィンガーまたは突起５９８Ａおよび５９８Ｂは、図１９Ａの装填位置または図１９Ｂの第１信号伝達位置のいずれかにピストン状インジケータ５８６を保持するために、支柱部分５９４Ａおよび５９４Ｂとそれぞれ接続するようなサイズおよび構成になっている。例えば、突起５９８Ａは、図１９Ａの装填位置にピストン状インジケータ５８６を保持するために、支柱部分５９４Ａと接続する。時間が経つにつれて、突起５９８Ａは劣化し、生分解され、ピストン状インジケータ５８６は図１９Ｂの第１信号位置に移動することができ、突起５９８Ｂは支柱部分５９４Ｂと接続する。この位置では、ユーザーは、剛毛５９３の第１着色部分５９５Ａを視認でき、すぐに交換が必要であることをユーザーに知らせる。ブラシの継続的な使用は、突起５９８Ｂが、劣化、生分解等を引き起こし、もはやピストン状インジケータ５８６を拘束できない点まで移行する。このように、ピストン状インジケータは、図１９Ｂの第１信号伝達位置から図１９Ｃの交換信号伝達位置に移行する。この位置において、ユーザーは、剛毛５９３の第２着色部分５９５Ｂを視認でき、今交換が必要であることをユーザーに知らせる。
【００６８】
図１９Ａ〜図１９Ｃの実施形態は、図２０に示す構成において保持プレート５９２を使用したが、交換インジケータ５８０は、図１５の保持インサートスリーブ３９２または図１５の保持インサートスリーブ３９２と実質的に同様の開口／保持フィンガー構成を有する保持プレートのいずれかを使用してもよい。
【００６９】
図２１Ａおよび図２１Ｂは、本開示の別の態様による、摩耗または交換インジケータ（概して６８０と示される）の別の例を示す。摩耗インジケータ６８０は、より詳細に説明される相違点を除いて、図１４Ａおよび図１４Ｂの交換インジケータと実質的に同様の構成、材料、および動作を有する。図２１Ａに示すように、交換インジケータ６８０は、ピストン状インジケータ６８６および付勢部材６８８によって形成された機械的「ポップアップ」装置６８４を含む。この実施形態では、保持インサートスリーブの代わりに、ブラシ本体４４に保持突起６９２が形成され、装置６８４は、取り外し可能なプレート４９を介してブラシ本体４４の底部から組み立てることができる。
【００７０】
さらに、ピストン状インジケータ６８６の本体には、突起６８７が形成されており、突起６８７は、図２１Ａの装着位置にピストン状インジケータ５８６を拘束するために、ブラシ本体４４の保持突起６９２と接触する。この実施形態では、ピストン状インジケータ６８６または突起６８７は、オキソ分解性プラスチック、オキソ生分解性プラスチック、バイオベースポリマーなどで構成される。従って、突起６８７が劣化、生分解等して、図２１Ａの装填位置のピストン状インジケータ６８６をもはや拘束することができない点まで達すると、ピストン状インジケータ６８６は、図２１Ｂの展開位置または交換信号位置へトリガーされる。ブラシ本体４４または突起６９２は、選択されたアプリケーションで所望される、時間ベースのトリガーおよびトリガー時間を達成するために、オキソ分解性プラスチック、オキソ生分解性プラスチック、バイオベースポリマーなどから追加的または代替的に構成することができることは理解されよう。
【００７１】
図２２は、本開示の別の態様による、摩耗または交換インジケータ（概して７８０と示される）の別の例を示す。摩耗インジケータ７８０は装填位置に示されている。図２２に示すように、交換インジケータ７８０は、ブラシ本体４４の皿穴４６内に圧入され、バネまたは付勢部材７８８によって外方に付勢されたピストン状インジケータ７８６によって形成された機械的な「ポップアップ」装置７８４を含む。この実施形態では、ブラシ本体４４またはピストン状インジケータ７８６、またはその両方は、図１４Ａ〜図１４Ｂを参照して上述したようなオキソ分解性プラスチック、オキソ生分解性プラスチック、バイオベースポリマーなどから構成され、選択されたアプリケーションにおいて所望される、時間ベースのトリガーおよびトリガー時間を達成するために構成される。例えば、経時的に、ブラシ本体４４の皿穴は、分解、生分解などにより大きくなり、及び／又はピストン状インジケータ７８６の外周は、劣化、生分解などにより小さくなり、ピストン状インジケータは、図２２の装填位置においてより長い間拘束され得る。このように、ピストン状インジケータ７８６は、展開位置または交換信号伝達位置（剛毛７９３は、交換信号位置に破線として示される）にトリガーされる。
【００７２】
図２３は、本開示の別の態様による、摩耗または交換インジケータ（概して８８０と示される）の別の例を示す。摩耗インジケータ８８０は装填位置に示され、図２１Ａおよび図２１Ｂの交換インジケータと実質的に同様の構成、材料、および動作を有する。図２３は、突起８８７の別の例を示す。この実施形態では、突起は、バンプとして示されているが、ピストン状インジケータを装填位置に保持するためにブラシ本体突起８９２と接触する限り、他の構成も可能である。
【００７３】
図２４は、本開示の別の態様による、摩耗または交換インジケータ（概して９８０で示される）の別の例を示す。摩耗インジケータ９８０は装填位置に示されており、より詳細に説明される相違点を除いて、図１４Ａおよび図１４Ｂの交換インジケータと実質的に同様の構成、材料、および動作を有する。図２４に示すように、交換インジケータ９８０は、ピストン状インジケータ９８６および付勢部材９８８によって形成された機械的「ポップアップ」装置９８４を含む。この実施形態では、ピストン状インジケータ９８６は、段部５９４Ａを有する支柱を含む。さらに、保持インサートスリーブ３９２の代わりに保持プレート５９２が使用される。しかし、この実施形態では、保持プレート９９２は、図１５の保持インサートスリーブ３９２と実質的に同様の開口／保持フィンガー構成を含む。
【００７４】
保持プレート９９２は、図２４の装填位置にピストン状インジケータ９８６を保持するために、支柱部９９４と接続する。経時とともに、保持プレートの保持フィンガーが劣化、生分解等を起こし、および／または開口が拡大して、ピストン状インジケータ９８６が交換信号位置に移行する（図２４には、剛毛９９３のみが破線で示されている）。
【００７５】
上述のように、ブラシヘッド２０の例は、パーソナルケア器具に使用するのに適している。これに関して、振動運動をワークピース２０に与えるために使用され得るパーソナルケア用器具２２の一例が、いくらか詳細に説明される。パーソナルケア器具２２は、本開示の実施形態で実施することができる器具の１つのタイプであるが、ワークピース２０は、広範囲の振動運動、回転運動および往復動作生成装置と共に使用するのに適していることが理解されよう。
【００７６】
ここで図１、図２及び図２５を参照すると、パーソナルケア器具２２の一例が示されている。器具２２は、ハンドル部２６およびヘッド取付部２８を有する本体２４を含む。ヘッド取付部２８は、ブラシヘッド２０などのワークピースまたはヘッドを器具２２に選択的に取り付けるように構成されている。器具本体２４は、器具の操作構造を収容する。図１２のブロック図に示すように、一実施形態の動作構造は、駆動モータアセンブリ３０と、再充電可能なバッテリなどの電力貯蔵源３２と、オン／オフボタン３６（図１参照）を含む駆動制御部３４とを含み、電力貯蔵源３２から駆動モータアセンブリ３０に電力を選択的に供給するように構成され、配置される。いくつかの実施形態では、駆動制御部３４は、駆動モータアセンブリ３０への電力供給を制御するように構成された、プログラムされたマイクロコントローラまたはプロセッサなどの制御回路に結合された電力調整またはモード制御ボタン３８（図１参照）を含んでもよい。いくつかの実施形態における駆動モータアセンブリ３０は、駆動シャフトまたはアーマチュア４２および駆動ボス５２を介してブラシヘッド２０を駆動する電気駆動モータ４０を含む。
【００７７】
ブラシヘッド２０がヘッド取付部２８に取り付けられると、駆動モータアセンブリ３０は、ブラシヘッド２０に動きを与えるように構成される。駆動モータアセンブリ３０は、典型的には４０〜３５０Ｈｚの範囲の音波周波数でブラシヘッド２０を動作するように構成することができ、ブラシヘッド２０を３〜４５度の範囲または振幅内で前後に振動させるように構成することができる。いくつかの実施形態では、以下でより詳細に説明するように、ブラシヘッド２０は、約８０Ｈｚ〜約２２０Ｈｚの周波数および約６度〜約２０度の範囲または振幅で、装填または非装填状態で操作することができる。駆動モータアセンブリ３０によって洗浄用ワークピース２０に与えられる動作周波数および振動振幅は、ブラシヘッドの意図された用途および／または特性（例えば、慣性特性など）に部分的に応じて変化し得ることが理解されよう。
【００７８】
以下の点については、本開示の目的のために留意されるべきである。このような「上」「下」「垂直」「水平」、「内向き」、「外向き」、「内側」、「外側」、「前方」、「後方」等の用語は、記述的なものとして解釈されるべきであり、特許請求の範囲を限定するものではない。さらに、本明細書にある、「含む」、「備える」または「有する」およびその変形したものの使用は、その後に列挙される項目および、追加の項目と同様に、その均等物、を包含することを意味する。特に限定しない限り、本明細書中にある、用語「接続」、「結合」および「装着」、その他の変形は、広く使用され、接続、結合、装着を直接的および間接的に包含している。「約」、「およそ」などの用語は、記載された値の平均±５％を意味する。
【００７９】
本開示の、原理、代表的な実施形態、および動作モードは、前述の説明に記載されている。しかし、本開示の態様は、保護されることが意図されており、開示された特定の実施形態に限定されると解釈されるべきではない。さらに、本明細書に記載の実施形態は、限定的ではなく、例示的なものと見なされるべきである。他の人によってなされ得ることができる変形と変更、およびその均等物は、本開示の精神から逸脱することなく、用いられる。したがって、明示的に記載の全てのそのような変形、変更、および均等物は、本開示の精神および特許請求の範囲に含まれることが明確に意図される。
【図１】
0006533827.tif 000002
【図２】
0006533827.tif 000003
【図３】
0006533827.tif 000004
【図４】
0006533827.tif 000005
【図５】
0006533827.tif 000006
【図６】
0006533827.tif 000007
【図７Ａ】
0006533827.tif 000008
【図７Ｂ】
0006533827.tif 000009
【図８】
0006533827.tif 000010
【図９】
0006533827.tif 000011
【図１０Ａ】
0006533827.tif 000012
【図１０Ｂ】
0006533827.tif 000013
【図１１】
0006533827.tif 000014
【図１２】
0006533827.tif 000015
【図１３Ａ】
0006533827.tif 000016
【図１３Ｂ】
0006533827.tif 000017
【図１４Ａ】
0006533827.tif 000018
【図１４Ｂ】
0006533827.tif 000019
【図１５】
0006533827.tif 000020
【図１６Ａ】
0006533827.tif 000021
【図１６Ｂ】
0006533827.tif 000022
【図１７Ａ】
0006533827.tif 000023
【図１７Ｂ】
0006533827.tif 000024
【図１８Ａ】
0006533827.tif 000025
【図１８Ｂ】
0006533827.tif 000026
【図１９Ａ】
0006533827.tif 000027
【図１９Ｂ】
0006533827.tif 000028
【図１９Ｃ】
0006533827.tif 000029
【図２０】
0006533827.tif 000030
【図２１Ａ】
0006533827.tif 000031
【図２１Ｂ】
0006533827.tif 000032
【図２２】
0006533827.tif 000033
【図２３】
0006533827.tif 000034
【図２４】
0006533827.tif 000035
【図２５】
0006533827.tif 000036